(57)【要約】      （修正有）【課題】刈払コード体を簡単に装着することができるコード式刈払機用ロータを提供する。【解決手段】コード式刈払機用ロータ１００は、円板状にベース体１０１の外縁部に径方向外側に向かって開口する筒状の刈払コード収容部１１０を備えている。刈払コード収容部１１０は、刈払コード体を折り曲げた状態でかつこの折り曲げた状態の刈払コード体における屈曲部をベース体１０１の中央側に露出させた状態で貫通させて収容する筒状の部分であり、底板１、２つの支柱１１２および上板１１３によって構成されている。底板は、刈払コード収容部１１０の底部を構成する金属製の板状部品であり、ベース体１０１よりも小径のリング状に形成されている。支柱１１２は、折り曲げた刈払コード体を折り曲げた状態を維持する幅および高さにそれぞれ設定された円柱体で構成されている。上板１１３は、底板と同じリング形状に形成されている。【選択図】図１
2015139423.tif 000002
【特許請求の範囲】
【請求項１】
棒状に延びる操作棹の先端部に草を刈るための紐状の刈払コード体を保持しつつ回転駆動可能に設けられるコード式刈払機用ロータであって、
板状に形成されたベース体と、
前記ベース体の外縁部に設けられて前記刈払コード体を折り曲げた状態でかつ折り曲げた部分を前記ベース体の中央側に露出させた状態で貫通させて収容する筒状の刈払コード収容部とを備えることを特徴とするコード式刈払機用ロータ。
【請求項２】
請求項１に記載したコード式刈払機用ロータにおいて、
前記刈払コード収容部は、
前記ベース体の外縁部に起立して設けられた少なくとも２つの柱体と、
前記少なくとも２つの柱体間上に架設される架設体とを備えることを特徴とするコード式刈払機用ロータ。
【請求項３】
請求項１または請求項２に記載したコード式刈払機用ロータにおいて、さらに、
前記ベース体の外縁部における前記刈払コード収容部に隣接して前記刈払コード体と同等な太さの紐状の楔コード体が貫通可能な筒状の楔コード貫通部を備えることを特徴とするコード式刈払機用ロータ。
【請求項４】
請求項１ないし請求項３のうちのいずれか１つに記載したコード式刈払機用ロータにおいて、
前記刈払コード収容部は、
互いに異なる横幅からなる複数種類の前記刈払コード収容部が前記ベース体の外縁部に沿って設けられていることを特徴とするコード式刈払機用ロータ。
【請求項５】
請求項１ないし請求項４のうちのいずれか１つに記載したコード式刈払機用ロータにおいて、
前記ベース体は、
前記刈払コード収容部より内側に凹状に窪んだ楔コード逃げ部が形成されていることを特徴とするコード式刈払機用ロータ。
【発明の詳細な説明】
【技術分野】
【０００１】
本発明は、紐状に延びる刈払コード体を回転させて主に草を刈るコード式刈払機において刈払コード体を保持するコード式刈払機用ロータに関する。
【背景技術】
【０００２】
従来から、紐状に延びる刈払コード体を原動機による回転駆動力によって回転させて草や低木を刈るコード式刈払機がある。このコード式刈払機においては、棒状に延びる操作棹における先端部に刈払コード体を着脱自在に保持するコード式刈払機用ロータが設けられている。例えば、下記特許文献１には、互いに平行な２つの貫通孔に１つの刈払コード体をＵ字状に屈曲させた状態で貫通させて保持する動力式刈払機用小径ナイロンコードカッター（コード式刈払機用ロータ）が開示されている。
【先行技術文献】
【特許文献】
【０００３】
【特許文献１】実用新案登録第３１６２５５３号公報
【０００４】
しかしながら、上記特許文献１に記載されたコード式刈払機用ロータにおいては、１つの刈払コード体を１つの目の貫通孔に通した後、動力式刈払機用小径ナイロンコードカッターの内側部分で折り返して２つ目の貫通孔に通すため、刈払コード体の装着作業が煩雑であるという問題があった。
【発明の概要】
【０００５】
本発明は上記問題に対処するためなされたもので、その目的は、刈払コード体を簡単に装着することができるコード式刈払機用ロータを提供することにある。
【０００６】
上記目的を達成するため、本発明の特徴は、棒状に延びる操作棹の先端部に草を刈るための紐状の刈払コード体を保持しつつ回転駆動可能に設けられるコード式刈払機用ロータであって、板状に形成されたベース体と、ベース体の外縁部に設けられて刈払コード体を折り曲げた状態でかつ折り曲げた部分をベース体の中央側に露出させた状態で貫通させて収容する筒状の刈払コード収容部とを備えることにある。
【０００７】
このように構成した本発明の特徴によれば、コード式刈払機用ロータは、板状のベース体上に刈払コード体を折り曲げた状態でかつ折り曲げた部分をベース体の中央側に露出させた状態で貫通させて収容する筒状の刈払コード収容部を備えているため、作業者は刈払コード体を折り曲げた状態で刈払コード収容部に挿し込めばよい。これにより、コード式刈払機用ロータは、刈払コード体を簡単に装着することができる。また、作業者は、ベース体の中央側に露出させた刈払コード体の屈曲部内に刈払コード体と同等な太さの紐状の楔コード体を挿入することで刈払コード体と刈払コード収容部との間で楔として機能させることによって刈払コード体の刈払コード収容部からの抜けをより効果的に防止することができる。
【０００８】
また、本発明の他の特徴は、前記コード式刈払機用ロータにおいて、刈払コード収容部は、ベース体の外縁部に起立して設けられた少なくとも２つの柱体と、少なくとも２つの柱体間上に架設される架設体とを備えることにある。
【０００９】
このように構成した本発明の他の特徴によれば、コード式刈払機用ロータは、刈払コード収容部がベース体の外縁部に起立して設けられた少なくとも２つの柱体と、これらの柱体間上に架設される架設体とで構成されているため、簡単に刈払コード収容部を構成することができる。また、刈払コード収容部は、単一の材料によって一体的に円筒状や方形筒状に形成してベース体に設けることもできる。
【００１０】
また、本発明の他の特徴は、前記コード式刈払機用ロータにおいて、さらに、ベース体の外縁部における刈払コード収容部に隣接して刈払コード体と同等な太さの紐状の楔コード体が貫通可能な筒状の楔コード貫通部を備えることにある。
【００１１】
このように構成した本発明の他の特徴によれば、コード式刈払機用ロータは、刈払コード収容部に隣接して刈払コード体と同等な太さの紐状の楔コード体が貫通可能な筒状の楔コード貫通部を備えている。これにより、作業者は、刈払コード体の屈曲部内に通した刈払コード体を刈払コード収容部に隣接する楔コード貫通部に通すことによって楔コード体を固定して刈払コード体からの抜けや位置ずれを防止することができる。
【００１２】
また、本発明の他の特徴は、前記コード式刈払機用ロータにおいて、刈払コード収容部は、互いに異なる横幅からなる複数種類の刈払コード収容部がベース体の外縁部に沿って設けられていることにある。
【００１３】
このように構成した本発明の他の特徴によれば、コード式刈払機用ロータは、刈払コード収容部が互いに異なる横幅（開口幅）の複数種類がベース体の外縁部に沿って設けられているため、刈払コード体の太さや硬度に応じた刈払収容部を選択して保持させることによって複数種類の刈払コード体を付け替えてまたは同時に用いることができる。
【００１４】
また、本発明の他の特徴は、前記コード式刈払機用ロータにおいて、ベース体は、刈払コード収容部より内側に凹状に窪んだ楔コード逃げ部が形成されていることにある。
【００１５】
このように構成した本発明の他の特徴によれば、コード式刈払機用ロータは、ベース体における刈払コード収容部より内側に凹状に窪んだ楔コード逃げ部が形成されているため、刈払コード体の屈曲部内に挿し込んだ楔コード体の下端部側を楔コード逃げ部内に仕舞うができるため、楔コード体の損傷を防止できるとともに長い長さの楔コード体を安定的に収容することで刈払コード体からの抜けを防止することができる。
【図面の簡単な説明】
【００１６】
【図１】本発明の一実施形態に係るコード式刈払機用ロータの外観構成の概略を示した平面図である。
【図２】図１に示すコード式刈払機用ロータの外観構成の概略を示した正面図である。
【図３】図１に示すコード式刈払機用ロータが刈払コード体を保持した状態で刈払機の操作棹の先端部に取り付けられた状態を刈払機の側方から見た使用状態図である。
【図４】図１に示すコード式刈払機用ロータが刈払コード体を保持した状態を示す一部破断平面図である。
【図５】図４に示す５−５線から見たコード式刈払機用ロータの構成の概略を示した断面図である。
【図６】本発明の変形例に係るコード式刈払機用ロータが刈払コード体を保持した状態を示す一部破断平面図である。
【図７】（Ａ）〜（Ｅ）は本発明の他の変形例に係るコード式刈払機用ロータにおける支柱の横断面形状のバリエーションを示す２つの支柱の横断面図である。
【図８】（Ａ）〜（Ｃ）は本発明の他の変形例に係るコード式刈払機用ロータにおける支柱の縦断面形状のバリエーションを示す２つの支柱の縦断面図である。
【図９】本発明の他の変形例に係るコード式刈払機用ロータの外観構成の概略を示した平面図である。
【図１０】図９に示す１０−１０線から見たコード式刈払機用ロータの構成の概略を示した断面図である。
【発明を実施するための形態】
【００１７】
以下、本発明に係るコード式刈払機用ロータの一実施形態について図面を参照しながら説明する。図１は、本発明に係るコード式刈払機用ロータ１００（以下、単に「刈払機用ロータ１００」という）の外観構成の概略を示した平面図である。また、図２は、図１に示す刈払機用ロータ１００の外観構成の概略を示した正面図である。また、図３は、図１に示す刈払機用ロータが刈払コード体１００を保持した状態で刈払機１０の操作棹１１の先端部に取り付けられた状態を刈払機１０の側方から見た使用状態図である。この刈払機用ロータ１００は、作業者が肩に掛けて草を刈る刈払機において紐状の刈払コード体を着脱自在に保持した状態で棒状に延びる操作棹の先端部に着脱自在に取り付けられる器具である。
【００１８】
（刈払機用ロータ１００の構成）
刈払機用ロータ１００は、ベース体１０１を備えている。ベース体１０１は、刈払機１０における操作棹１１の先端部に設けられたロータ保持部１２に対して着脱自在に取り付けられる部分であり、金属製の板材をリング状に形成して構成されている。より具体的には、ベース体１０１は、直径が１２７ｍｍ、板厚が１.５ｍｍの円板の中央部に取付孔１０２が形成されている。この場合、取付孔１０２は、刈払機１０のロータ保持部１２における図示しない嵌合部に嵌合する大きさに形成された貫通孔である。なお、刈払機１０におけるロータ保持部１２は、ロータ受け部１２ａとロータ受け部１２ａに対して図示しないボルトを介して着脱自在に取り付けられるロータ押さえ具１２ｂとによってベース体１０１を両側から挟んで保持する。
【００１９】
このベース体１０１における２つの板面である上面１０１ａおよび下面１０１ｂのうち、前記ロータ保持部１２におけるロータ受け部１２ａに押し付けられる上面１０１ａ上には、刈払コード収容部１１０が形成されている。刈払コード収容部１１０は、刈払機１０が実際に草を刈る刈払コード体１３を着脱自在に保持する部分であり、ベース体１０１の上面１０１ａ上における外縁部に径方向外側に向かって開口する筒状に形成されている。
【００２０】
より具体的には、刈払コード収容部１１０は、刈払コード体１３を折り曲げた状態でかつこの折り曲げた状態の刈払コード体１３における屈曲部１３ａをベース体１０１の中央側に露出させた状態で貫通させて収容する筒状の部分であり、主として、底板１１１、２つの支柱１１２および上板１１３によって構成されている。これらのうち、底板１１１は、刈払コード収容部１１０の底部を構成する金属製の板状部品であり、ベース体１０１よりも小径のリング状に形成されている。この場合、底板１１１の内径は、リングの幅が支柱１１２の外径同等、または同外径より若干広くなる大きさに形成されている。本実施形態においては、底板１１１は、外径が１２３ｍｍ、内径が９５ｍｍ、板厚が１.５ｍｍに形成されている。
【００２１】
２つの支柱１１２は、刈払コード収容部１１０の横幅Ｗおよび高さＨをそれぞれ規定する金属製の部品であり、それぞれ円柱体で構成されている。この場合、刈払コード収容部１１０の横幅Ｗおよび高さＨは、折り曲げた刈払コード体１３を折り曲げた状態を維持する幅および高さにそれぞれ設定される。したがって、２つの支柱１１２は、刈払コード体１３を折り曲げた状態を維持する間隔を介して底板１１１上に配置されて固定される。
【００２２】
この場合、２つの支柱１１２の間隔、すなわち、刈払コード収容部１１０の横幅Ｗは、
１つの刈払コード体１３を折り曲げた２つの刈払コード体１３の幅以上、すなわち、１つの刈払コード体１３の太さの２倍以上の幅で形成されていればよい。例えば、刈払コード収容部１１０の横幅Ｗは、１つの刈払コード体１３の太さの２倍以上かつ屈曲部１３ａの幅未満のほか、１つの刈払コード体１３を折り曲げた２つの刈払コード体１３が互いに平行になる幅、同幅より広い幅、すなわち、２つの刈払コード体１３が鋭角を成して広がる状態で収容される幅に形成することができる。また、２つの支柱１１２は、折り曲げることによって厚さが若干太くなる刈払コード体１３が貫通可能な高さであって、折り曲げられた刈払コード体１３の弾性力（復元力）および刈払コード体１３との間の摩擦に耐えられる太さおよび材質で形成される。
【００２３】
本実施形態においては、刈払機用ロータ１００は、直径が１２ｍｍの１２個の支柱１１２を用いて５種類の横幅Ｗ１〜Ｗ５からなる５つの刈払コード収容部１１０がそれぞれ２つずつ形成されている。この場合、互いに同じ横幅Ｗ１〜Ｗ５からなる刈払コード収容部１１０は、ベース体１０１上において径方向に対象となる位置（換言すれば、１８０°反対側の位置）に形成される。なお、本実施形態においては、横幅Ｗ１〜Ｗ５は、それぞれ１７.５ｍｍ、１２.５ｍｍ、２０ｍｍ、１０ｍｍ、１５ｍｍである。また、刈払コード収容部１１０の高さＨ，すなわち、支柱１１２の高さは４.５ｍｍに形成されている。
【００２４】
上板１１３は、刈払コード収容部１１０の天井部を構成する金属製の板状部品であり、ベース体１０１よりも小径のリング状に形成されている。この場合、上板１１３の内径は、リングの幅が支柱１１２の外径同等、または同外径より若干広くなる大きさに形成されている。本実施形態においては、上板１１３は、底板１１１と同じ形状に形成されている。本実施形態においては、上板１１３は、外径が１２３ｍｍ、内径が９５ｍｍ、板厚が１.５ｍｍに形成されている。
【００２５】
そして、これらの底板１１１、支柱１１２および上板１１３が互いに溶接されることによって各刈払コード収容部１１０を一体的に構成している。また、各刈払コード収容部１１０は、底板１１１がベース体１０１に溶接されることによってベース体１０１に固定的に形成されている。なお、本実施形態においては、底板１１１および上板１１３をベース体１０１の外縁部よりも内側に配置するとともに、支柱１１２を底板１１１および上板１１３の外縁部よりも内側に配置している。
【００２６】
（刈払機用ロータ１００の作動）
次に、上記のように構成した刈払機用ロータ１００の作動について説明する。刈払機用ロータ１００を用いて草刈作業を行う作業者は、まず、刈払機用ロータ１００とともに、刈払機１０を用意する。この場合、刈払機１０は、棒状に延びる操作棹１１の一方の端部に図示しない原動機が設けられるとともに他方の端部に刈払機用ロータ１００を着脱自在に保持するロータ保持部１２が形成されて構成されており、原動機の回転駆動力によって刈払機用ロータ１００を回転させて草刈作業を行うことができるものである。
【００２７】
次に、作業者は、刈払機用ロータ１００を刈払機１０のロータ保持部１２に取り付ける。具体的には、作業者は、刈払機１０のロータ保持部１２におけるロータ受け部１２ａからロータ押さえ具１２ｂを外した後、このロータ受け部１２ａに刈払機用ロータ１００におけるベース体１０１の上面１０１が当たる向き、すなわち、刈払機用ロータ１００の刈払コード収容部１１０がロータ受け部１２ａ側となる向きでベース体１０１を嵌め込む。そして、作業者は、ベース体１０１の下面側からロータ押さえ具１２ｂを宛がってロータ受け部１２ａに図示しないボルトを介して取り付けることによってベース体１０１をロータ受け部１２ａとロータ押さえ具１２ｂとで挟んだ状態で保持させることができる。
【００２８】
次に、作業者は、刈払コード体１３および楔コード体１４をそれぞれ用意する。この場合、刈払コード体１３は、刈払機用ロータ１００に保持されて回転することによって草を切断する刃であり、樹脂材を可撓性を有する紐状に形成（所謂フレキシブルブレード）して構成されている。この刈払コード体１３は、断面形状が円形や方形に形成されている他に、長手方向に沿って鋸刃状に形成されている公知のものを使用することができる。本実施形態においては、作業者は、長尺の刈払コード体１３がロール状に巻かれたものを用意する。したがって、作業者は、ロール状に巻かれた刈払コード体１３を引き出して所定の長さの位置で切断することによって刈払コード体１３を用意する。この場合、作業者は、刈払機用ロータ１００の外縁部から概ね６ｃｍ以下の長さで延びる長さ、例えば、全長が１５ｃｍの長さで刈払コード体１３を用意する。また、作業者は、刈払コード体１３を２つ用意する。なお、作業者は、予め所定の長さに形成された市販の刈払コード体１３を用意してもよい。
【００２９】
また、楔コード体１４は、刈払機用ロータ１００に保持させた刈払コード体１３の抜けを防止するための可撓性を有する紐体である。本実施形態においては、楔コード体１４は、刈払コード体１３で構成する。したがって、作業者は、ロール状に巻かれた刈払コード体１３を引き出して所定の長さの位置で切断することによって楔コード体１４を用意する。この場合、作業者は、刈払コード体１３の屈曲部１３ａの内側を貫通させるに十分な長さ、例えば、刈払いコード体１３の半分以上の長さで用意する。また、作業者は、楔コード体１４を２つの刈払コード体１３に対応させて２つ用意する。なお、作業者は、予め所定の長さに形成された市販の刈払コード体１３を楔コード体１４として用意してもよい。
【００３０】
次に、作業者は、図４および図５にそれぞれ示すように、刈払コード体１３を刈払機用ロータ１００に取り付ける。具体的には、作業者は、刈払コード体１３の一方の端部側を折り曲げてＪ字状にした状態で刈払コード体１３を屈曲部１３ａ側から刈払コード収容部１１０内に挿し込む。この場合、作業者は、刈払コード体１３の太さや硬度に応じて適当な横幅Ｗ１〜Ｗ５の刈払コード収容部１１０を選択して刈払コード体１３を装着する。また、作業者は、Ｊ字状に屈曲させた刈払コード体１３における草を刈る側の長さの長い刈払いコード体１３における内側面が刈払機用ロータ１００の回転方向前方に向く向きで刈払コード体１３を挿し込むとともに、屈曲部１３ａが刈払コード収容部１１０内を貫通して同刈払コード収容部１１０の内側に露出する挿し込み量で挿し込む。なお、図４においては、上板１１３の一部を破断して示している。
【００３１】
次いで、作業者は、刈払コード収容部１１０の内側に露出する屈曲部１３ａの内側に楔コード体１４を挿し込んで一方の端部をベース体１０１上に這わせるとともに他方の端部を刈払コード体１３を挿し込んだ刈払コード収容部１１０に隣接する刈払コード収容部１１０内に挿し込む。次いで、作業者は、刈払コード収容部１１０から径方向外側に向かって長く伸びる草を刈る側の刈払コード体１３を径方向外側に引っ張ることによって刈払コード収容部１１０の内周側の開口部に対して刈払コード体１３の屈曲部１３ａを介して楔コード体１４を押し付けて固定することができる。なお、楔コード体１４は、刈払コード体１３における屈曲部１３ａ内に挿し込まれていればよく、必ずしも本実施形態のように刈払コード体１３を挿し込んだ刈払コード収容部１１０に隣接する刈払コード収容部１１０内に挿し込む必要はない。
【００３２】
そして、作業者は、刈払コード体１３を取り付けた刈払コード収容部１１０に径方向において対向するもう１つの同じ横幅Ｗ１の刈払コード収容部１１０に対して同様の手順で刈払コード体１３を楔コード体１４を用いて固定する。これにより、刈払機用ロータ１００には、中心部を介して対称な位置の刈払コード収容部１１０にそれぞれ刈払コード体１３が取り付けられる。
【００３３】
次に、作業者は、草刈作業を行う。具体的には、作業者は、刈払機１０における図示しない原動機を始動させて刈払機用ロータ１００を回転（一般的に、左回り）させることによって刈払コード体１３を刈払機用ロータ１００を中心に回転させる。したがって、作業者は、回転する刈払コード体１３を草に当てることによって草を刈ることができる。
【００３４】
この場合、刈払コード体１３は、屈曲部１３ａの弾性力（復元力）、および楔コード体１４が閂として作用するため、刈払コード収容部１１０から抜けることが防止される。また、刈払コード体１３は、草を刈る側の刈払コード体１３の内側面が刈払機用ロータ１００の回転方向前方に面しているため、同回転方向前方に対して凹んだ円弧状の刈払コード体１３が回転による遠心力によって同回転方向前方に対して張り出した円弧状に弾性変形する。これにより、刈払コード体１３は、回転および草への衝突に際して回転方向後方に傾倒することが抑制されるため、効果的に草を刈ることができる。なお、図４においては、刈払機用ロータ１００の回転方向および刈払コード体１３の弾性変形方向をそれぞれ破線矢印で示すとともに、刈払コード体１３が弾性変形した状態を二点鎖線で示している。
【００３５】
また、刈払機用ロータ１００は、刈払コード収容部１１０がロータ受け部１２ａ側となる向きでロータ保持部１２に取り付けられているため、刈払コード体１３の回転面が刈払機１０における操作棹１１に設けられた湾曲した板状の防護カバー１５の下端面より上方となって刈った草や刈払コード体１３によって跳ね飛ばされた異物が作業者側に飛散することを防護カバー１５によって防止することができる。また、刈払機用ロータ１００は、底板１１１および上板１１３をベース体１０１の外縁部よりも内側に配置するとともに、支柱１１２を底板１１１および上板１１３の外縁部よりも内側に配置しているため、草刈作業中における石などの障害物との接触による刈払コード収容部１１０の損傷を抑制することができる。
【００３６】
次に、草刈作業を終える場合には、作業者は、刈払機用ロータ１００の回転を停止させた後、刈払コード体１３を刈払機用ロータ１００から取り外す。具体的には、作業者は、楔コード体１４を刈払コード体１３の屈曲部１３ａ内から抜き取った後、刈払コード体１３を刈払機用ロータ１００の径方向外側に引っ張ることによって刈払コード収容部１１０から取り除くことができる。この場合、作業者は、刈払コード収容部１１０内から延びる短い方と長い方の各刈払コード体１３を指で挟んでより屈曲させることによって刈払コード収容部１１０内から容易に抜くことができる。そして、作業者は、ロータ押さえ具１２ｂをロータ受け部１２ａから外すことによって刈払機用ロータ１００をロータ保持部１２から取り外すことができる。
【００３７】
上記作動説明からも理解できるように、上記実施形態によれば、刈払機用ロータ１００は、板状のベース体１０１上に刈払コード体１３を折り曲げた状態でかつ折り曲げた屈曲部１３ａをベース体１０１の中央側に露出させた状態で貫通させて収容する筒状の刈払コード収容部１１０を備えているため、作業者は刈払コード体１３を折り曲げた状態で刈払コード収容部１１０に挿し込めばよい。これにより、刈払機用ロータ１００は、刈払コード体１３を簡単に装着することができる。また、作業者は、ベース体１０１の中央側に露出させた刈払コード体１３の屈曲部１３ａ内に刈払コード体１３と同等な太さの紐状の楔コード体１４を挿入することで刈払コード体１３と刈払コード収容部１１０との間で楔として機能させることによって刈払コード体１３の刈払コード収容部１１０からの抜けをより効果的に防止することができる。
【００３８】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００３９】
例えば、上記実施形態においては、刈払機用ロータ１００は、１つのベース体１０１上に５種の横幅Ｗ１〜Ｗ５の刈払コード収容部１１０を形成した。しかし、刈払機用ロータ１００は、図６に示すように、１つのベース体１０１上に少なくとも１種の横幅Ｗの刈払コード収容部１１０が形成されていればよい。なお、刈払機用ロータ１００は、１つのベース体１０１上に複数種類の横幅Ｗの刈払コード収容部１１０を備えることによって太さや硬さの異なる幅広い種類の刈払コード体１３に対応できるため、草の種類や状況に応じて刈払コード体１３を付け替えることができる。また、刈払機用ロータ１００は、１つのベース体１０１上に複数種類の横幅Ｗの刈払コード収容部１１０を備えることによって太さや硬さの異なる幅広い種類の刈払コード体１３を同時装着することができ、草の種類や状況に応じた草刈作業を行うことができる。また、刈払コード収容部１１０の横幅Ｗおよび高さＨは、刈払コード１３の太さや硬度に応じて適宜設定されるものであり、必ずしも上記実施形態に限定されるものではない。なお、図６においては、上板１１３の一部を破断して示している。
【００４０】
また、上記実施形態においては、刈払機用ロータ１００は、ベース体１０１上に１種の横幅Ｗの刈払コード収容部１１０を２つ径方向に対向し合う位置に設けて構成した。しかし、刈払機用ロータ１００は、ベース体１０１上に１種の横幅Ｗの刈払コード収容部１１０を少なくとも１つ設けて構成すればよい。この場合、刈払機用ロータ１００は、ベース体１０１上に１種の横幅Ｗの刈払コード収容部１１０を周方向に沿って均等配置することによって刈払機用ロータ１００の安定的に回転させることができるため、刈払コード収容部１１０を２つ以上設けることが好ましい。例えば、刈払機用ロータ１００は、ベース体１０１上に１種の横幅Ｗの刈払コード収容部１１０を１２０°毎や９０°毎に配置して刈払コード収容部１１０を３つや４つ備えて構成することもできる。
【００４１】
また、上記実施形態においては、作業者は、刈払コード収容部１１０から貫通させた刈払コード体１３の屈曲部１３ａに楔コード体１４を通すとともに、この楔コード体１４の一方の端部を刈払コード体１３を収容した刈払コード収容部１１０に隣接する刈払コード収容部１１０内に貫通させた。これにより、刈払機用ロータ１００は、刈払コード体１３の抜けをより効果的に防止することができる。
【００４２】
すなわち、楔コード体１４を貫通させた刈払コード収容部１１０は、本発明に係る楔コード貫通部に相当する。この場合、楔コード貫通部１２０は、上記実施形態のように刈払コード収容部１１０と兼用する構成でもよいが、図６に示すように、少なくとも１つの楔コード体１４を貫通させることができる筒状に形成されていれば刈払コード収容部１１０に隣接して刈払コード収容部１１０として機能しない独立したものとして設けることもできる。なお、上記実施形態においては、作業者は、楔コード貫通部１２０（刈払コード収容部１１０に隣接する刈払コード収容部１１０）内に１つの楔コード体１４を貫通させたが、楔コード体１４をＪ字状やＵ字状に屈曲させた状態で刈払コード体１３の屈曲部１３ａの内側に挿入して両端部を楔コード貫通部に貫通させるようにしてもよい。
【００４３】
また、刈払機用ロータ１００は、刈払コード体１３を刈払コード収容部１１０に屈曲させた状態で収容するだけでも刈払コード体１３の弾性力（復元力）によって抜けが防止できるため、楔コード体１４および楔コード貫通部１２０を省略して構成することもできる。
【００４４】
また、上記実施形態においては、刈払機用ロータ１００は、刈払コード収容部１１０をベース体１０１の上面１０１上に形成して構成した。これにより、刈払機用ロータ１００は、刈払コード体１３の回転面が刈払機１０の操作棹１１に設けられた防護カバー１５の下端面より上方となり易く刈った草や刈払コード体１３によって跳ね飛ばされた異物が作業者側に飛散することを防護カバー１５によって防止することができる。しかし、刈払機用ロータ１００は、刈払コード収容部１１０をベース体１０１の上面１０１とは反対側の下面１０１ｂ上に形成して構成することもできる。
【００４５】
また、上記実施形態においては、作業者は、１つの刈払コード体１３をＪ字状に屈曲させた状態で刈払コード収容部１１０内に挿入した。しかし、作業者は、１つの刈払コード体１３をＵ状に屈曲させた状態で刈払コード収容部１１０内に挿入することもできる。
【００４６】
また、上記実施形態においては、支柱１１２は、同一外径で延びる円柱状に形成した。しかし、支柱１１２は、図７（Ａ）〜（Ｅ）にそれぞれ示すように、支柱１１２の横断面形状を円形状以外の形状、例えば、楕円形状、方形状、半円形状、リング形状またはスプライン形状に形成することができる。これらの場合、支柱１１２の表面形状を曲面状（図７（Ａ），（Ｃ），（Ｄ））に形成することにより刈払コード１３を直角や鋭角状に屈曲させることなく曲線状に曲げることができるため刈払コード１３の損傷を抑制することができる。また、支柱１１２の横断面形状をリング形状（図７（Ｄ）参照）に形成することにより刈払機用ロータ１００を軽量化することができる。また、支柱１１２の横断面形状をスプライン形状（図７（Ｅ）参照）のように凹凸を有した形状に形成することにより刈払コード収容部１１０からの刈払コード体１３の抜けを効果的に防止することができる。
【００４７】
また、支柱１１２は、図８（Ａ）〜（Ｃ）にそれぞれ示すように、軸方向に沿って外周面を凹状の円弧状、台形状、または三角形状に凹む形状に形成することができる。これらの場合、支柱１１２の縦断面形状を軸線方向中央部から両端部に向かって広がる末広がりの形状に形成することにより刈払コード１３の回転面の位置を安定化することができるとともに、底板１１１および上板１１３への接触面積を確保しつつ支柱１１２を軽量化することができる。
【００４８】
また、上記実施形態においては、刈払コード収容部１１０は、底板１１１を備えて構成した。これにより、刈払機用ロータ１００は、刈払コード体１３の屈曲部１３ａの内側を貫通させた楔コード体１４を過度に屈曲させることなくベース体１０１上に添わせることができる。しかし、刈払コード収容部１１０は、支柱１１２をベース体１０１上に直接設けることで底板１１１を省略して構成することもできる。これによれば、刈払機用ロータ１００は、刈払コード収容部１１０が軽量化されるため、草刈効率を向上させることができる。
【００４９】
また、刈払機用ロータ１００は、図９および図１０にそれぞれ示すように、ベース体１０１における刈払コード収容部１１０より内側部分に凹状に窪んだ楔コード逃げ部１３０を形成することができる。これによれば、刈払機用ロータ１００は、刈払コード体１３の屈曲部１３ａ内に挿し込んだ楔コード体１４の下端部側を楔コード逃げ部１３０内に仕舞うができるため、楔コード体１４の損傷を防止できるとともに長い長さの楔コード体１４を安定的に収容することで刈払コード体１３からの抜けを防止することができる。
【００５０】
また、上記実施形態においては、刈払コード収容部１１０は、底板１１１、２つの支柱１１２および上板１１３によって構成した。しかし、刈払コード収容部１１０は、刈払コード体１３を折り曲げた状態でかつこの折り曲げた状態の刈払コード体１３における屈曲部１３ａをベース体１０１の中央側に露出させた状態で貫通させて収容する筒状に形成されていればよい。したがって、刈払コード収容部１１０は、例えば、樹脂材や金属材を一体的に円形や方形の筒状に形成して構成することもできる。
【符号の説明】
【００５１】
Ｗ，Ｗ１〜Ｗ５…横幅、Ｈ…高さ、
１０…刈払機、１１…操作棹、１２…ロータ保持部、１２ａ…ロータ受け部、１２ｂ…ロータ押さえ部、１３…刈払コード体、１３ａ…屈曲部、１４…楔コード体、１５…防護カバー、
１００…刈払機用ロータ、１０１…ベース体、１０１ａ…上面、１０１ｂ…下面、１０２…取付孔、
１１０…刈払コード収容部、１１１…底板、１１２…支柱、１１３…上板、
１２０…楔コード貫通部、
１３０…楔コード逃げ部。
【図１】
2015139423.tif 000003
【図２】
2015139423.tif 000004
【図３】
2015139423.tif 000005
【図４】
2015139423.tif 000006
【図５】
2015139423.tif 000007
【図６】
2015139423.tif 000008
【図７】
2015139423.tif 000009
【図８】
2015139423.tif 000010
【図９】
2015139423.tif 000011
【図１０】
2015139423.tif 000012